(57)【要約】【課題】既設水洗トイレの便器の洗浄水として雨水を利用する際に既設配管に対して工事を行う必要がなく、雨水を供給又は停止する切換動作の信頼性を長期間にわたって確保することができる雨水供給装置を提供する。【解決手段】水洗トイレ１１の便器１２の洗浄水を貯留するトイレタンク１３よりも上方に設置された雨水貯留タンクに貯留された雨水を、雨水送水管２７Ｂからトイレタンク１３の配管取付穴１６Ｂに取り付けられた雨水利用配管１８まで供給する途中に、雨水を供給又はその供給を停止するために弁体を開閉する電動バルブ２を設け、スイッチ４の操作により電動タイマー３を起動し、電動タイマー３の所定設定時間に対応した時間内だけ電動バルブ２のモーターを駆動して前記弁体を開にする。【選択図】図１
0003157253.tif 000002
【実用新案登録請求の範囲】
【請求項１】
水洗トイレの便器の洗浄水として雨水を利用するための雨水供給装置であって、
前記洗浄水を貯留するトイレタンクよりも上方に設置された雨水貯留タンクから送水される雨水、又は、雨水貯留タンクに貯留され、ポンプにより加圧されて送水される雨水を、前記トイレタンクの配管取付穴に取り付けられた雨水利用配管、又は、前記トイレタンクの手洗い用水受け蓋内へ雨水を供給するように吐出口が配置された雨水利用配管まで供給する途中に、雨水を供給又はその供給を停止するために弁体を開閉する電動バルブを設け、スイッチ操作により又は前記トイレタンクの洗浄水を流す操作に連動させて電動タイマーを起動し、該電動タイマーの所定設定時間に対応した時間内だけ前記電動バルブのモーターを駆動して前記弁体を開にすることを特徴とする雨水供給装置。
【請求項２】
前記電動バルブがボールバルブである請求項１記載の雨水供給装置。
【請求項３】
前記雨水貯留タンクが、該タンク内の水位を検出する水位センサを備え、該水位センサにより前記水位が前記雨水貯留タンク内下部の所定水位以下になったことを検出した際に、上水給水管から前記所定水位まで上水が給水されるものである請求項１記載の雨水供給装置。
【請求項４】
前記雨水貯留タンクが、該タンク内下部の所定水位付近に、上水給水管に接続されたボールタップ形給水栓を備え、該ボールタップ形給水栓の浮玉の上下によって流入口を開閉し、前記所定水位以下になった際に前記上水給水管から前記所定水位まで上水が給水されるものである請求項１記載の雨水供給装置。
【考案の詳細な説明】
【技術分野】
【０００１】
本考案は、給水に雨水を利用して節水を図る雨水供給装置に関わり、更に詳しくは、既設水洗トイレにおける洗浄水としての雨水の利用に適した雨水供給装置に関するものである。
【背景技術】
【０００２】
給水に雨水を利用して節水を図る雨水供給装置として、家屋の外壁上部に取り付けた雨水タンクに接続された雨水導水管及び水道支管をトイレ室内まで配管し、雨水導水管及び水道支管と水洗トイレの便器洗浄ユニットに接続された洗浄水配管とを電動式の三方切換弁（流路切換弁）を介して接続するとともに、三方切換弁及び雨水のヘッドを検出する圧力スイッチに電気的に接続された制御部により、圧力スイッチの検出値が所定値以上であれば雨水を洗浄水配管へ導入し、検出値が所定値を下回る場合は上水を洗浄水配管へ導入するように三方切換弁を自動的に切り換える、雨水を利用可能とした便器洗浄装置がある（例えば、特許文献１参照。）。
【先行技術文献】
【特許文献】
【０００３】
【特許文献１】特開２０００−１１０２２０号公報
【考案の概要】
【考案が解決しようとする課題】
【０００４】
特許文献１のような構成の便器洗浄装置によれば、雨水を優先的に使用して節水を図ることができる。
しかしながら、既設水洗トイレへ取り付ける際には、上水を止水した後、既設上水配管を分離させて三方切換弁を取り付ける配管工事、並びに、三方切換弁及び圧力スイッチと制御部とを電気的に接続する配線工事等が必要になる。
また、雨水導水管又は水道支管の切換に三方切換弁を用いていること、三方切換弁のポートが接続された洗浄水配管を雨水又は上水の給水に共用しており、雨水又は上水は洗浄水配管を経由して便器洗浄ユニットへ給水されることから、弁体と弁ハウジングとの摺動面積が大きい三方切換弁の切換動作が雨水に混入した異物の噛込みにより不安定又は不良になる場合や、洗浄水配管から便器洗浄ユニットにわたって設けられた水道水用器具に目詰まりが生じる場合がある。
【０００５】
そこで本考案が前述の状況に鑑み、解決しようとするところは、既設水洗トイレの便器の洗浄水として雨水を利用する際に既設配管に対して工事を行う必要がなく、雨水を供給又は停止する切換動作の信頼性を長期間にわたって確保することができる雨水供給装置を提供する点にある。
【課題を解決するための手段】
【０００６】
本考案に係る雨水供給装置は、前記課題解決のために、水洗トイレの便器の洗浄水として雨水を利用するための雨水供給装置であって、前記洗浄水を貯留するトイレタンクよりも上方に設置された雨水貯留タンクから送水される雨水、又は、雨水貯留タンクに貯留され、ポンプにより加圧されて送水される雨水を、前記トイレタンクの配管取付穴に取り付けられた雨水利用配管、又は、前記トイレタンクの手洗い用水受け蓋内へ雨水を供給するように吐出口が配置された雨水利用配管まで供給する途中に、雨水を供給又はその供給を停止するために弁体を開閉する電動バルブを設け、スイッチ操作により又は前記トイレタンクの洗浄水を流す操作に連動させて電動タイマーを起動し、該電動タイマーの所定設定時間に対応した時間内だけ前記電動バルブのモーターを駆動して前記弁体を開にすることを特徴とする。
【０００７】
このような構成によれば、水洗トイレの使用後にレバーハンドル等の操作手段によりトイレタンク内の洗浄水を便器に流した後、スイッチ操作により又は前記操作手段によるトイレタンクの洗浄水を流す操作に連動して電動タイマーが起動し、電動バルブの弁体が開になるため電動バルブの下流側の雨水利用配管を経由してトイレタンク内へ雨水が供給され、電動タイマーの所定設定時間に対応した時間が経過すると電動バルブの弁体が閉になるためトイレタンク内への雨水の供給が停止される。
この際にトイレタンク内へは上水給水管に接続されたボールタップ形給水栓から上水も補給されることになるが、この上水の補給量（単位時間当たりの流入量）を止水栓のバルブの調整等により少なくしておき、雨水利用配管を経由してトイレタンク内へ補給される量（単位時間当たりの流入量）を多くすることにより、洗浄水としての雨水の利用比率を容易に高めることができる。
なお、余分な雨水はオーバーフローすることになるが、ある程度の余分があっても集水した雨水を使用しているためコスト面で問題になることはない。
【０００８】
その上、トイレタンクには、給水配管の位置に対して効率的に配管を接続することができるように、その左右２箇所に配管取付穴が形成されていることが多く、このようなトイレタンクでは使用していない配管取付穴を利用して雨水利用配管を接続することができるため、雨水供給装置を設置する際に既設配管に対して工事を行う必要がない。
その上さらに、トイレタンクの左右２箇所に配管取付穴が形成されていない場合であっても、トイレタンクが手洗付きロータンクであれば、雨水利用配管の吐出口が手洗い用水受け蓋の上側に位置するように雨水利用配管を固定することにより、雨水供給装置を設置する際に既設配管に対して工事を行う必要がない。
【０００９】
その上、電動バルブによる管路の開閉により雨水の供給又は停止をする構成であることから、三方切換弁を用いる構成のように雨水に混入した異物が噛み込むことがないため、管路の開閉動作（雨水の供給又は停止動作）が不安定又は不良になる場合がない。
その上さらに、電動バルブの下流側からトイレタンクまでの間には配管のみしかないことから、水道水用器具がある場合のように目詰まりが生じることがなく、雨水の流れが妨げられるような障害が発生することがない。
その上、水道水用器具を使用しないことから、ろ過の精度が高くなくても粉塵等による目詰まりがしにくいため、コストを低減することができる。
その上さらに、電動タイマーの所定設定時間に対応させて電動バルブのモーターを駆動して弁体の開閉動作を行っているため、制御が簡単であるとともにその信頼性が高い。
【００１０】
ここで、前記電動バルブがボールバルブであると好ましい。
このような構成によれば、弁体がボール（球状）であることから操作性がよく、口径内の流れに対する障害物がないことから渦流や脈流が生じにくく流量特性に優れており、流量を非常に大きくすることができるため、雨水の利用比率をさらに高くすることができるとともに、電動バルブの開閉動作の信頼性をさらに向上することができる。
【００１１】
また、前記雨水貯留タンクが、該タンク内の水位を検出する水位センサを備え、該水位センサにより前記水位が前記雨水貯留タンク内下部の所定水位以下になったことを検出した際に、上水給水管から前記所定水位まで上水が給水されるものであるか、前記雨水貯留タンクが、該タンク内下部の所定水位付近に、上水給水管に接続されたボールタップ形給水栓を備え、該ボールタップ形給水栓の浮玉の上下によって流入口を開閉し、前記所定水位以下になった際に前記上水給水管から前記所定水位まで上水が給水されるものであると好ましい。
【００１２】
これらのような構成によれば、雨水貯留タンク内の水位がタンク内下部の所定水位以下になると上水が給水されるため、降雨がない期間が続き雨水がなくなっても雨水貯留タンク内に水がなくなることがない。
その上、上水の供給は、雨水貯留タンク内の水位がタンク内下部の所定水位になると停止するため、降雨により雨水が供給される際の十分な貯水スペースを確保することができるとともに、上水の使用量を少なくすることができる。
その上さらに、雨水貯留タンクが水切れしないことから、水洗トイレに対して雨水貯留タンクから必ず洗浄水が供給されるため、既設水洗トイレのトイレタンクが手洗付きでない場合は、止水栓により既設上水給水管からの上水の供給を停止することができるため、さらに節水効果を高めることができる。
【考案の効果】
【００１３】
以上のように、本考案に係る雨水供給装置によれば、既設水洗トイレの便器の洗浄水として雨水を利用する際に既設配管に対して工事を行う必要がなく、雨水を供給又は停止する切換動作の信頼性を長期間にわたって確保することができるため、イニシャルコスト及びランニングコストを低減することができ、簡素な信頼性の高い構成により雨水を利用して実用的かつ効果的に節水効果を高めることができるという顕著な効果を奏する。
【図面の簡単な説明】
【００１４】
【図１】本考案の実施の形態に係る雨水供給装置の主な構成を示す部分断面図である。
【図２】電動バルブ及び電動タイマー等を収容する筐体の扉体を開けた状態を示す図である。
【図３】雨水貯留タンクの一例を示す部分断面図である。
【考案を実施するための形態】
【００１５】
次に本考案の実施の形態を添付図面に基づき詳細に説明するが、本考案は、添付図面に示された形態に限定されず実用新案登録請求の範囲に記載の要件を満たす実施形態の全てを含むものである。
【００１６】
図１に示す水洗トイレ１１は、一般住宅で利用されているトイレとして一般的なロータンク式水洗トイレを示しており、便器１２奥側に設けたトイレタンクであるロータンク１３に洗浄水を貯水し、操作手段であるレバーハンドル１４の操作により排水弁を一気に抜いて便器１２内の洗浄を行うものであり、左右の配管取付穴１６Ａ，１６Ｂの一方（図１の例では配管取付穴１６Ａ）を利用して上水給水管１７が接続され、上水給水管１７から補給される上水は手洗いノズル１５Ａから吐出してロータンク１３の水受け蓋１５Ｂの穴からロータンク１３へ補給される。
ここで、トイレタンクはハイタンクであってもよく、洗浄水を流す操作手段はレバーハンドル以外であってもよく、水洗トイレは小便器であってもよい。
【００１７】
図１に示すように、雨水供給装置１は、水洗トイレ１１の便器１２の洗浄水として雨水を利用するためのものであり、図３に示す雨水を貯留した雨水貯留タンク２０から送水される雨水を水洗トイレ１１のロータンク１３の配管取付穴１６Ｂに取り付けられた雨水利用配管１８まで供給する途中に、雨水を供給又はその供給を停止するために弁体を開閉する電動バルブ２を設けており、スイッチである押しボタン４の操作により電動タイマー３を起動し、電動タイマー３の所定設定時間に対応した時間内だけ電動バルブ２のモーターを駆動して弁体を開にするように構成される。
ここで、電動タイマー３を起動するためのスイッチは押しボタン４以外であってもよく、電動タイマー３を起動するためのスイッチを設けずに、洗浄水を流すための操作手段（例えばレバーハンドル１４）の操作に連動させて電動タイマー３を起動するようにしてもよい。
【００１８】
図１及び図２に示すように、例えば水洗トイレ１１の上側の棚Ｓ上に載置された筐体６は本体６Ａ及び扉体６Ｂにより構成され、筐体６内には電動バルブ２及び電動タイマー３等が収容され、壁Ｗから屋内へ導入された雨水送水管２７Ｂが雨水導入管７に接続され、この雨水導水管７と雨水利用配管１８に接続された雨水導出管８との間に電動バルブ２が接続され、電動バルブ２両端部の配管は取付具９，９により筐体６の本体６Ａに固定される。
また、電動バルブ２が開いている間はパイロットランプ５が点灯するため、ロータンク１３に雨水が供給されている状態を視認することができ、電動バルブ２、電動タイマー３及びパイロットランプ５等へはコンセント１０から電力が供給される。
【００１９】
このような雨水供給装置１の構成によれば、電動バルブ２による管路の開閉により雨水の供給又は停止をする構成であることから、三方切換弁を用いる構成のように雨水に混入した異物が噛み込むことがないため、管路の開閉動作（雨水の供給又は停止動作）が不安定又は不良になる場合がない。
また、電動バルブ２の下流側からロータンク１３までの間には配管のみしかないことから、水道水用器具がある場合のように目詰まりが生じることがなく、雨水の流れが妨げられるような障害が発生することがない。
さらに、水道水用器具を使用しないことから、ろ過の精度が高くなくても粉塵等による目詰まりがしにくいため、コストを低減することができる。
さらにまた、電動タイマー３の所定設定時間に対応させて電動バルブ２のモーターを駆動して弁体の開閉動作を行っているため、制御が簡単であるとともにその信頼性が高い。
【００２０】
次に、雨水供給装置１の動作について説明する。
水洗トイレ１１の使用後にレバーハンドル１４によりロータンク１３内の洗浄水を便器１２に流した後、押しボタン４を押すと電動タイマー３が起動して電動バルブ２の弁体が開になるため、雨水が雨水送水管２７Ｂ、雨水導入管７、雨水導出管８及び雨水利用配管１８内を流れてロータンク１３内へ供給され、電動タイマー３の所定設定時間に対応した時間が経過すると電動バルブ２の弁体が閉になるためロータンク１３内への雨水の供給が停止される。
この際にロータンク１３内へは上水給水管１７に接続されたボールタップ形給水栓から上水も補給されることになるが、この上水の補給量（単位時間当たりの流入量）を止水栓のバルブの調整等により少なくしておき、雨水利用配管１８を経由してロータンク１３内へ補給される量（単位時間当たりの流入量）を多くすることにより、洗浄水としての雨水の利用比率を容易に高めることができる。
なお、余分な雨水はオーバーフローすることになるが、ある程度の余分があっても集水した雨水を使用しているためコスト面で問題になることはない。
【００２１】
また、電動バルブ２として、特にボールバルブを用いることにより、弁体がボール（球状）であることから操作性がよく、口径内の流れに対する障害物がないことから渦流や脈流が生じにくく流量特性に優れており、流量を非常に大きくすることができるため、雨水の利用比率をさらに高くすることができるとともに、電動バルブ２の開閉動作の信頼性をさらに向上することができる。
【００２２】
次に、既設水洗トイレ１１への雨水供給装置１の設置工事について説明する。
ロータンク１３には、給水配管の位置に対して効率的に配管を接続することができるように、例えば図１の配管取付穴１６Ａ，１６Ｂのように、その左右２箇所に配管取付穴が形成されていることが多く、このようなトイレタンクでは使用していない配管取付穴（図１の例では配管取付穴１６Ｂ）を利用して雨水利用配管１８を接続することができるため、雨水供給装置１を設置する際に既設配管に対して工事を行う必要がない。
また、トイレタンクの左右２箇所に配管取付穴が形成されていない場合であっても、トイレタンクが手洗付きロータンク１３であれば、雨水利用配管の吐出口が手洗い用水受け蓋１５Ｂの上側に位置するように雨水利用配管を固定することにより、雨水供給装置１を設置する際に既設配管に対して工事を行う必要がない。
【００２３】
次に、主に水洗トイレ１１の洗浄水として雨水を送水するために雨水を貯留する雨水貯留タンクについて説明する。
図３に示すように、雨水貯留タンク２０は、家屋の壁Ｗの外側に、図１に示す水洗トイレ１１のロータンク１３よりも上方位置に設置されており、例えば図３のように架台１９上に載置してもよいし、家屋の外壁上部に取り付けてもよい。
【００２４】
屋根Ｒの下端縁に取り付けた雨樋Ｇの竪樋２１には、一定サイズ以上の大きさの異物を取り除くためのストレーナー２２が接続され、ストレーナー２２には雨水貯留タンク２０の上面に繋がる雨水導入管２３が接続される。
また、雨水貯留タンク２０の上面には上水給水管２５が接続され、雨水貯留タンク２０の側面上部にはオーバーフロー排水管２４が接続され、雨水貯留タンク２０の下面には雨水送水管２６が接続され、その下端には屋内側へ延びる雨水送水管２７Ａ及び屋外側へ延びる雨水給水管２９が接続される。
さらに、雨水送水管２７Ａには屋内へ導入された雨水送水管２７Ｂとの間に一定サイズ以上の大きさの異物を取り除くためのストレーナー２８が接続され、雨水給水管２９には屋外散水栓３０が接続される。
この屋外散水栓３０を開くことにより、雨水貯留タンク２０内の雨水を、水洗トイレ１１への洗浄水の供給以外に、ガーデニングの散水等にも有効利用することができる。
【００２５】
雨水貯留タンク２０は、該タンク２０内の水位を検出する図示しない水位センサ（例えばフロート式水位センサ等）を備えており、該水位センサにより前記水位が雨水貯留タンク２０内下部の所定水位ＷＬ以下になったことを検出した際に、上水給水管２５から所定水位ＷＬまで上水が給水されるため、降雨がない期間が続き雨水がなくなっても雨水貯留タンク２０内に水がなくなることがない。
また、上水の供給は、雨水貯留タンク２０内の水位がタンク内下部の所定水位ＷＬになると停止するため、降雨により雨水が供給される際の十分な貯水スペースを確保することができるとともに、上水の使用量を少なくすることができる。
さらに、雨水貯留タンク２０が水切れしないことから、水洗トイレ１１に対して雨水貯留タンク２０から必ず洗浄水が供給されるため、既設水洗トイレ１１のトイレタンクが手洗付きでない場合は、止水栓により既設上水給水管からの上水の供給を停止することができるため、さらに節水効果を高めることができる。
【００２６】
なお、雨水貯留タンク２０へ多量の雨水が流入した際には、一定量以上の雨水はオーバーフロー排水管２４から排水溝へ流される。
また、雨水貯留タンク２０に前記水位センサを備える構成ではなく、雨水貯留タンク２０内下部の所定水位ＷＬ付近に、上水給水管に接続されたボールタップ形給水栓を備え付け、該ボールタップ形給水栓の浮玉の上下によって流入口を開閉し、所定水位ＷＬ以下になった際に前記上水給水管から所定水位ＷＬまで上水を給水するようにしてもよい。
さらに、雨水貯留タンクを水洗トイレの洗浄水を貯留するトイレタンクよりも上方に設置せずに、雨水貯留タンクから雨水をポンプにより加圧して送水するようにしてもよい。
さらにまた、本考案の雨水供給装置１は、既設水洗トイレにおける洗浄水としての雨水の利用に適したものであるが、水洗トイレを新設する際に設置してもよい。
【符号の説明】
【００２７】
Ｇ  雨樋
Ｒ  屋根
Ｓ  棚
Ｗ  壁
ＷＬ  所定水位
１  雨水供給装置
２  電動バルブ
３  電動タイマー
４  押しボタン（スイッチ）
５  パイロットランプ
６  筐体
６Ａ  本体
６Ｂ  扉体
７  雨水導入管
８  雨水導出管
９  取付具
１０  コンセント
１１  水洗トイレ
１２  便器
１３  ロータンク（トイレタンク）
１４  レバーハンドル
１５Ａ  手洗いノズル
１５Ｂ  水受け蓋
１６Ａ，１６Ｂ  配管取付穴
１７  上水給水管
１８  雨水利用配管
１９  架台
２０  雨水貯留タンク
２１  竪樋
２２  ストレーナー
２３  雨水導入管
２４  オーバーフロー排水管
２５  上水給水管
２６，２７Ａ，２７Ｂ  雨水送水管
２８  ストレーナー
２９  雨水給水管
３０  屋外散水栓
【図１】
0003157253.tif 000003
【図２】
0003157253.tif 000004
【図３】
0003157253.tif 000005